(57)【要約】【課題】音声制御基板に新たに入力ポートを追加することなく、無音状態を創り出す。【解決手段】  本発明に係る遊技機用音声発生制御装置は、第１の音量レベルに対応付けて設けられた第１接点Ｃ１を有する第１回路３７と、前記第１の音量レベルより大きい第２の音量レベルに対応付けて設けられた第２接点Ｃ２を有する第２回路３８とを備える音量調整回路３６と、第１接点Ｃ１と第２接点Ｃ２のいずれか一つの接点を選択可能に設けられる音量設定手段３４と、第１回路３７及び第２回路３８から分岐して設けられ、第１回路３７と第２回路３８とを連結可能な無音回路４４と、無音回路４４に設けられる無音設定手段３５と、音量調整回路３６に２個の入力ポート４１，４２を介して接続される音声制御手段４３とを備えていることを特徴とする。【選択図】  図４
2006271608.tif 000002
【特許請求の範囲】
【請求項１】
遊技状態に応じて出力される音声の音量を所要レベルに制御可能な遊技機用音声発生制御装置であって、
第１の音量レベルに対応付けて設けられた第１接点を有する第１回路と、前記第１の音量レベルより大きい第２の音量レベルに対応付けて設けられた第２接点を有する第２回路とを備える音量調整回路と、
前記第１接点と前記第２接点のいずれか一つの接点を選択可能に設けられる音量設定手段と、
前記第１回路及び前記第２回路から分岐して設けられ、該第１回路と第２回路とを連結可能な無音回路と、
該無音回路に設けられる無音設定手段と、
前記音量調整回路に２個の入力ポートを介して接続される音声制御手段と、
を備え、前記音量調整回路は、前記音量設定手段の選択した接点に基づき所定の接点選択信号を生成すると共に、前記無音設定手段の操作に基づき、前記無音回路と協働して無音信号を生成し、前記音声制御手段は、前記接点選択信号に基づき所定の音量レベルの音声データを生成すると共に、前記無音信号に基づき無音の音声データを生成するように構成されていることを特徴とする遊技機用音声発生制御装置。
【請求項２】
前記音量調整回路は、前記第２の音量レベルより大きい第３の音量レベルに対応付けて設けられた第３接点をさらに備えており、該第３接点は孤立して設けられている請求項１に記載の遊技機用音声発生制御装置。
【請求項３】
前記音量調整回路は、前記第１接点と前記第２接点の２個の接点のみを備えている請求項１に記載の遊技機用音声発声制御装置。
【発明の詳細な説明】
【技術分野】
【０００１】
本発明は、パチンコ遊技機等の遊技機において、遊技機の遊技状態に応じて出力される音声の音量を所要レベルに制御可能な音声発生制御装置に関する。
【背景技術】
【０００２】
従来、パチンコ遊技機等の遊技機には、演出効果のため音声発生制御装置が搭載されており、遊技結果や遊技過程等の遊技状態に対応させて、音響装置から様々な音声が発せられるようになっている。そして、このような音声発生制御装置には、音響装置の近傍に音量設定スイッチが設けられており、遊技店のスペースや遊技機の設置状況等の遊技店側の都合、或いは遊技者の要望により、音響装置から発せられる音声の音量を複数段階に調整可能なようになっている（例えば、特許文献１参照）。
【特許文献１】特開２００２−１４３４０７号公報
【発明の開示】
【発明が解決しようとする課題】
【０００３】
しかしながら、上記した従来の遊技機用音声発生制御装置では、音量設定スイッチを操作することにより、音声の音量を大きくしたり、小さくしたり調整することはできるが、無音状態に設定することができないため、例えば、遊技機の検定審査時や遊技機の社内プレゼンテーション時などに、音声を介して遊技機の機密事項が外部に漏洩するおそれがあるといった問題があった。したがって、この場合、機密性を保持するためには、ハーネスを取り外す等する必要があり、その作業に非常に手間が掛かっていた。
【０００４】
また、技術的には、無音状態を創り出すことも可能ではあるが、そのためには、所定の音声データを生成する音声制御装置に入力ポートを新たに追加する必要があるため、製造コストが増大するといった問題があった。
【０００５】
本発明は、上記した課題を解決すべくなされたものであり、音声制御基板に新たに入力ポートを追加することなく、無音状態を創り出すことのできる遊技機用音声発生制御装置を提供しようとするものである。
【課題を解決するための手段】
【０００６】
本発明は、遊技状態に応じて出力される音声の音量を所要レベルに制御可能な遊技機用音声発生制御装置であって、第１の音量レベルに対応付けて設けられた第１接点Ｃ１を有する第１回路３７と、前記第１の音量レベルより大きい第２の音量レベルに対応付けて設けられた第２接点Ｃ２を有する第２回路３８とを備える音量調整回路３６と、第１接点Ｃ１と第２接点Ｃ２のいずれか一つの接点を選択可能に設けられる音量設定手段３４と、第１回路３７及び第２回路３８から分岐して設けられ、第１回路３７と第２回路３８とを連結可能な無音回路４４と、無音回路４４に設けられる無音設定手段３５と、音量調整回路３６に２個の入力ポート４１，４２を介して接続される音声制御手段４３とを備え、音量調整回路３６は、音量設定手段３４の選択した接点に基づき所定の接点選択信号を生成すると共に、無音設定手段３５の操作に基づき、無音回路４４と協働して無音信号を生成し、音声制御手段４３は、前記接点選択信号に基づき所定の音量レベルの音声データを生成すると共に、前記無音信号に基づき無音の音声データを生成するように構成されていることを特徴とする。
【０００７】
そして、好ましくは、音量調整回路３６は、前記第２の音量レベルより大きい第３の音量レベルに対応付けて設けられた第３接点Ｃ３をさらに備えており、第３接点Ｃ３は孤立して設けられているのがよい。
【０００８】
また、音量調整回路３６は、第１接点Ｃ１と第２接点Ｃ２の２個の接点のみを備えていてもよい。
【発明の効果】
【０００９】
本発明によれば、無音設定手段を操作することにより無音状態を創り出すことができるため、遊技機の検定審査時や遊技機の社内プレゼンテーション時などに、音声を介して遊技機の機密事項が外部に漏洩するのを確実に防止することができると共に、その作業を容易に行うことができる。
【００１０】
また、音声制御装置に新たに入力ポートを追加する必要がないため、製造コストの低減化を図ることができる等、種々の優れた効果を得ることができる。
【発明を実施するための最良の形態】
【００１１】
以下、図面を参照しつつ、本発明の実施の形態に係る遊技機用音声発生制御装置について説明する。なお、以下の説明では、本発明をパチンコ遊技機に適用した場合について例示して説明する。
【００１２】
先ず、図１〜図３を参照しつつ、本発明の実施の形態におけるパチンコ遊技機の概略構成について説明する。ここで、図１は、パチンコ遊技機において外枠を省略してガラス扉を開放した状態を示す正面図、図２はパチンコ遊技機の裏セット盤を示す背面図である。
【００１３】
このパチンコ遊技機１は、外郭方形枠サイズに形成されて縦向きの固定保持枠を成す外枠２（図２参照）の開口前面に、外枠２に合わせて方形枠サイズに形成された開閉搭載用の前枠３が、外枠２の正面左側上下に取り付けられたヒンジ金具４ａ，４ｂによって外枠２に対して開閉可能に取り付けられていると共に、外枠２の正面右側に設けられた施錠装置５により閉鎖状態に保持されるようになっている。
【００１４】
前枠２の上部領域には、遊技盤６が収容されており、遊技盤６は、所定板厚の積層合板の表面にセルを貼り付けてルーター加工した化粧版を基板とし、その前面側には、環状に取り付けられたガイドレール７に囲まれて、略円形状の遊技領域８が形成されている。遊技領域８には、その略中央部に画像表示装置の表示部９が配置されており、画像表示装置の表示部９の周りには、センター飾り１０、始動入賞口１１、大入賞口１２、入賞口１３等がそれぞれ配設されている。また、遊技領域８の下端部には、アウト口１４が配設されており、始動入賞口１１や大入賞口１２等に入賞せずに落下したアウト球を遊技盤６の背面側から機外に排出できるようになっている。
【００１５】
前枠３の前面上部側には、遊技盤６を視認可能なように透明なガラス板を備えたガラス扉１５が横向き開閉可能且つ着脱可能に取り付けられ、このガラス扉１５は、常には施錠装置５により遊技盤６の前面を覆うように閉鎖状態に保持されている。
【００１６】
また、前枠３の前面下部側であって、ガラス扉１５の下方には、球皿１６が横向き開閉可能且つ着脱可能に取り付けられ、球皿１６は、常には施錠装置（図示せず）により閉鎖状態に保持されている。球皿１６には、前面側に膨出して球貯留部１７が形成されており、遊技中に払い出される遊技球をこの球貯留部１７に貯留可能となっている。また、球貯留部１７の正面右側下部には、発射ハンドル１８が前方に突出して取り付けられており、発射ハンドル１８を回転操作することにより、球貯留部１７から供給された遊技球が遊技領域８に発射されるようになっている。
【００１７】
さらに、前枠２の下部領域には遊技補助盤１９が形成されており、この遊技補助盤１９の各部には、遊技領域８内に遊技球を打球する打球駆動部２０、球皿１６に排出しきれない遊技球を一時的に貯留する貯留ケース２１、貯留ケース２１の出口に設けられた枠側シャッタ２２、遊技状態に応じて効果音を発生させる音響装置２３等がそれぞれ配設されている。
【００１８】
また、前枠３の背面側には裏セット盤２４が複数（図２では５個）のレバー２５により着脱可能に設けられている。そして、裏セット盤２４の各部には、遊技島の球貯留装置（図示せず）からの予備賞球を貯留する貯留タンク２６、貯留タンク２６内に貯留された予備賞球を整列させて流下させる予備賞球案内流路２７、球圧を軽減して予備賞球を下方に流下させるカーブレール２８、賞球の払い出し処理を行う球払出装置２９、球払出装置２９から払い出された賞球を球皿１６に導く賞球排出経路３０、球払出装置２９を制御する払出制御装置３１、遊技球の発射強度や発射タイミングを制御する発射制御装置３２、前記画像表示装置の裏側に位置して画像表示、効果音等の演出、効果ランプ等の表示制御を行うサブ制御装置３３等がそれぞれ配設されており、このサブ制御装置３３に本実施の形態に係る遊技機用音声発生制御装置が搭載されている。
【００１９】
次に、図３、及び図４、図５を参照しつつ、本発明の第１の実施の形態に係る音声発生制御装置について説明する。ここで、図３は遊技機用音声発生制御装置を示す図、図４は本実施の形態に係る遊技機用音声発生制御装置の構成を示す回路図、図５は本実施の形態に係る遊技機用音声発生制御装置の作用を説明するための論理例を示す図である。
【００２０】
先ず、本実施の形態に係る音声発生制御装置の構成について説明する。
【００２１】
この音声発生制御装置には、図３に良く示されているように、サブ制御基板３３の下部に音量設定スイッチ３４と、無音設定スイッチ３５とが隣接して設けられており、音量設定スイッチ３４は、左右にスライド操作することにより大、中、小３段階の音量レベルに切換え可能な３素子のスライドスイッチで、一端は接地されており、また、無音設定スイッチ３５は、押圧操作可能なプッシュボタンタイプのスイッチとなっている。
【００２２】
図４に示されているように、この音量設定スイッチ３４は音量調整回路３６に接続されるようになっており、音量調整回路３６には、音量設定スイッチ３４が選択可能なように前記３段階の音量レベルに対応付けてそれぞれ第１〜第３接点Ｃ１，Ｃ２，Ｃ３が設けられている。そして、第１接点Ｃ１には第１回路３７が接続され、第２接点Ｃ２には第２回路３８が接続され、第３接点Ｃ３は孤立して設けられている。また、第１回路３７及び第２回路３８には、それぞれ、第１抵抗３９、第２抵抗４０が設けられており、ＶＣＣ接点を介して電源が供給可能となっている。さらに、第１回路３７及び第２回路３８は、第１入力ポート４１と第２入力ポート４２の２個の入力ポートを介して、音声制御装置４３にそれぞれ接続されている。
【００２３】
また、無音設定スイッチ３５は無音回路４４に接続可能となっており、無音回路４４は第１回路３７と第２回路３８とを連結可能なように第１回路３７及び第２回路３８から分岐して設けられ、無音回路４４の一端は接地されている。
【００２４】
次に、本実施の形態に係る音声発生制御装置の作用について説明する。
【００２５】
音量設定スイッチ３４が、図３に示すように、「大」の音量レベル側にスライド操作され、第３接点Ｃ３に接続されると、第１回路３７及び第２回路３８には、それぞれ、ＶＣＣ接点を介して所定の電圧が供給され、第１回路３７及び第２回路３８は共に、ハイレベル（Ｈ）信号を生成し、これらの信号は第１入力ポート４１及び第２入力ポート４２を介して音声制御装置４３に入力される。そして、このように、第１入力ポート４１及び第２入力ポート４２の両方の入力ポートから、それぞれ、ハイレベル（Ｈ）信号が入力されると、音声制御装置４３は、図５に示すように、音量設定スイッチ３４が第３接点Ｃ３を選択したと判断し、大音量レベルの音声データを生成し、パチンコ遊技機１の遊技状態に応じて、大音量の音声を発するよう音響装置２３を制御する。
【００２６】
また、音量設定スイッチ３４が、「中」の音量レベル側にスライド操作され、第２接点Ｃ２に接続されると、第１回路３７にはＶＣＣ接点を介して所定の電圧が供給されるが、第２回路３８は接地されるため、第１回路３７がハイレベル（Ｈ）信号を生成する一方、第２回路３８はローレベル（Ｌ）信号を生成し、これらの信号はそれぞれ第１入力ポート４１及び第２入力ポート４２を介して音声制御装置４３に入力される。そして、このように、第１入力ポート４１からハイレベル（Ｈ）信号が入力されると共に第２入力ポート４２からローレベル（Ｌ）信号が入力されると、音声制御装置４３は、図５に示すように、音量設定スイッチ３４が第２接点Ｃ２を選択したと判断し、中音量レベルの音声データを生成し、パチンコ遊技機１の遊技状態に応じて、中音量の音声を発するよう音響装置２３を制御する。
【００２７】
さらに、音量設定スイッチ３４が、「小」の音量レベル側にスライド操作され、図４に示すように、第１接点Ｃ１に接続されると、第１回路３７は接地され、第２回路３８にＶＣＣ接点を介して所定の電圧が供給されるため、第１回路３７がローレベル（Ｌ）信号を生成する一方、第２回路３８はハイレベル（Ｈ）信号を生成し、これらの信号はそれぞれ第１入力ポート４１及び第２入力ポート４２を介して音声制御装置４３に入力される。そして、このように、第１入力ポート４１からローレベル（Ｌ）信号が入力されると共に第２入力ポート４２からハイレベル（Ｈ）信号が入力されると、音声制御装置４３は、図５に示すように、音量設定スイッチ３４が第１接点Ｃ１を選択したと判断し、小音量レベルの音声データを生成し、パチンコ遊技機１の遊技状態に応じて、小音量の音声を発するよう音響装置２３を制御する。
【００２８】
次いで、このように、音量設定スイッチ３４が、「小」又は「中」の音量レベル側にスライドされ、第１接点Ｃ１又は第２接点Ｃ２に接続された状態において、無音設定スイッチ３５を押圧操作すると、第１回路３７及び第２回路３８はいずれも接地され、第１回路３７及び第２回路３８は無音回路４４と協働して、それぞれローレベル（Ｌ）信号を生成し、これらの信号はそれぞれ第１入力ポート４１及び第２入力ポート４２を介して音声制御装置４３に入力される。そうすると、音声制御装置４３は、図５に示すように、無音設定スイッチ３５が押圧操作されたと判断し、無音の音声データを生成し、音声を発しないよう音響装置２３を制御する。
【００２９】
また、この無音状態を解除する場合には、無音設定スイッチ３５を再度押圧操作するか、或いは、音量設定スイッチをスライド操作し、他の接点Ｃ１又はＣ２又はＣ３に切り替えることにより行うことができる。
【００３０】
次に、図６及び図７を参照しつつ、本発明の第２の実施の形態に係る音声発生制御装置について説明する。ここで、図６は本実施の形態に係る遊技機用音声発生制御装置の構成を示す回路図、図７は本実施の形態に係る遊技機用音声発生制御装置の作用を説明するための論理例を示す図である。なお、以下の説明では、説明の簡略化のため、上記した第１の実施の形態と同等の構成については、図６中、図４と同一の符号を付し、それらの構成及び作用に関する詳細な説明は省略する。
【００３１】
先ず、本実施の形態に係る音声発生制御装置の構成について説明する。
【００３２】
本実施の形態に係る音声発生制御装置の場合、音量設定スイッチ５１は、左右にスライド操作することにより大、小２段階の音量レベルに切換え可能なスライドスイッチとなっている。そして、この音量設定スイッチ５１は音量調整回路５２に接続されるようになっており、音量調整回路５２には、音量設定スイッチ５１が選択可能なように前記２段階の音量レベルに対応付けてそれぞれ第１接点Ｃ１及び第２接点Ｃ２が設けられ、第１接点Ｃ１には第１回路３７が接続され、第２接点Ｃ２には第２回路３８が接続されている。また、無音設定スイッチ３５は無音回路４４に接続可能となっており、無音回路４４は第１回路３７と第２回路３８とを連結可能なように第１回路３７及び第２回路３８から分岐して設けられている。
【００３３】
次に、本実施の形態に係る音声発生制御装置の作用について説明する。
【００３４】
音量設定スイッチ５１が第２接点Ｃ２に接続されると、第１回路３７にはＶＣＣ接点を介して所定の電圧が供給されるが、第２回路３８は接地されるため、第１回路３７がハイレベル（Ｈ）信号を生成する一方、第２回路３８はローレベル（Ｌ）信号を生成し、これらの信号はそれぞれ第１入力ポート４１及び第２入力ポート４２を介して音声制御装置４３に入力される。そして、このように、第１入力ポート４１からハイレベル（Ｈ）信号が入力されると共に第２入力ポート４２からローレベル（Ｌ）信号が入力されると、音声制御装置４３は、図７に示すように、音量設定スイッチ３４が第２接点Ｃ２を選択したと判断し、大音量レベルの音声データを生成し、パチンコ遊技機１の遊技状態に応じて、大音量の音声を発するよう音響装置２３を制御する。
【００３５】
また、音量設定スイッチ３４が、図６に示すように、第１接点Ｃ１に接続されると、第１回路３７は接地され、第２回路３８にＶＣＣ接点を介して所定の電圧が供給されるため、第１回路３７がローレベル（Ｌ）信号を生成する一方、第２回路３８はハイレベル（Ｈ）信号を生成し、これらの信号はそれぞれ第１入力ポート４１及び第２入力ポート４２を介して音声制御装置４３に入力される。そして、このように、第１入力ポート４１からローレベル（Ｌ）信号が入力されると共に第２入力ポート４２からハイレベル（Ｈ）信号が入力されると、音声制御装置４３は、図７に示すように、音量設定スイッチ３４が第１接点Ｃ１を選択したと判断し、小音量レベルの音声データを生成し、パチンコ遊技機１の遊技状態に応じて、小音量の音声を発するよう音響装置２３を制御する。
【００３６】
次いで、このように、音量設定スイッチ５１が第１接点Ｃ１又は第２接点Ｃ２に接続された状態において、無音設定スイッチ３５を押圧操作すると、第１回路３７及び第２回路３８はいずれも接地され、第１回路３７及び第２回路３８は無音回路４４と協働して、それぞれローレベル（Ｌ）信号を生成し、これらの信号はそれぞれ第１入力ポート４１及び第２入力ポート４２を介して音声制御装置４３に入力される。そうすると、音声制御装置４３は、図７に示すように、無音設定スイッチ３５が押圧操作されたと判断し、無音の音声データを生成し、音声を発しないよう音響装置２３を制御する。
【００３７】
また、この無音状態を解除する場合には、無音設定スイッチ３５を再度押圧操作するか、或いは、音量設定スイッチを他の接点Ｃ１又はＣ２に切り替えることにより行うことができる。
【００３８】
このように、上記した第２の実施の形態によれば、音量設定スイッチ３５が第１接点Ｃ１と第２接点Ｃ２のいずれの接点に接続されていても、すなわち、音量設定スイッチ３５の切り替え位置に拘らず、無音設定スイッチ３５を押圧操作することにより無音状態を創り出すことができるため、この作業の簡素化をより一段と図ることができる。
【００３９】
なお、音量設定スイッチ３４，５１、及び無音設定スイッチ３５のタイプや設置位置、接点の数は、上記したタイプや設置位置、及び数に限定されるものではなく、各種変更が可能である。
【００４０】
さらに、本発明は、その適用が上記したパチンコ遊技機１に限定されるものではなく、スロットマシン等の他の遊技機にも適用可能であることは言う迄もない。
【図面の簡単な説明】
【００４１】
【図１】本発明の実施の形態におけるパチンコ遊技機を示す正面図である。
【図２】本発明の実施の形態におけるパチンコ遊技機の裏セット盤を示す背面図である。
【図３】本発明の実施の形態におけるパチンコ遊技機の裏セット盤に設けられた遊技機用音声発生制御装置を示す図である。
【図４】本発明の第１の実施の形態に係る遊技機用音声発生制御装置の構成を示す回路図である。
【図５】本発明の第１の実施の形態に係る遊技機用音声発生制御装置の作用を説明するための論理例を示す図である。
【図６】本発明の第２の実施の形態に係る遊技機用音声発生制御装置の構成を示す回路図である。
【図７】本発明の第２の実施の形態に係る遊技機用音声発生制御装置の作用を説明するための論理例を示す図である。
【符号の説明】
【００４２】
１          パチンコ遊技機
３４        音量設定スイッチ
３５        無音設定スイッチ
３６        音量調整回路
３７        第１回路
３８        第２回路
４１        第１入力ポート
４２        第２入力ポート
４３        音声制御装置
４４        無音回路
Ｃ１        第１接点
Ｃ２        第２接点
Ｃ３        第３接点
【図１】
2006271608.tif 000003
【図２】
2006271608.tif 000004
【図３】
2006271608.tif 000005
【図４】
2006271608.tif 000006
【図５】
2006271608.tif 000007
【図６】
2006271608.tif 000008
【図７】
2006271608.tif 000009